(57)【要約】【課題】防虫網戸の取り外しが面格子周枠の室内側から容易に行え、網戸を取り付けたままサッシ窓枠の両側を開放できできる面格子装置を提供する。【解決手段】２枚の引き違い障子１７，１７が嵌装されるサッシ窓枠１３の室外側に取り付けられる面格子装置であって、上下側枠２，３及び左右側枠４，４からなる面格子周枠５内の室外側端部に面格子６を設け、面格子周枠５内には上下框７，８と左右框９，９と左右框９，９の中間の中框１０とからなる網戸取付周枠１１を設け、網戸取付周枠１１と面格子周枠５の室内側端部との間に網戸取付け・取外し用空間部Ｓを形成し、網戸取付周枠１１には防虫網戸１２，１２を検鈍式に室内側に取り外し可能に取り付け、面格子周枠５の上下側枠２，３及び左右側枠４，４の夫々室内側端部を、サッシ窓枠１３の上下横枠１４，１５及び左右縦枠１６，１６の夫々室外側端部に取り付ける。【選択図】図５
2012041731.tif 000002
【特許請求の範囲】
【請求項１】
２枚の引き違い障子が嵌装されるサッシ窓枠の室外側に取り付けられる面格子装置であって、上下側枠及び左右側枠からなる面格子周枠内の室外側端部に面格子を設け、面格子周枠内の室内外方向中間部には上下框と左右框と左右框の中間の中框とからなる網戸取付周枠を設け、この網戸取付周枠と面格子周枠の室内側端部との間に網戸取付け・取外し用空間部を形成し、前記網戸取付周枠には中框を挟んでその両側に夫々防虫網戸を上下框に対して検鈍式に室内側に取り外し可能に取り付け、前記面格子周枠の上下側枠及び左右側枠の夫々室内側端部を、前記サッシ窓枠の上下横枠及び左右縦枠の夫々室外側端部に取り付けるようにしてなる面格子装置。
【請求項２】
前記面格子周枠の上下及び左右側枠が互いに直交する夫々のコーナー部にその室内側端から所要長さに亘ってスリットを設け、これら上下及び左右側枠の夫々室内側端部外面には前記サッシ窓枠の上下横枠及び左右縦枠の夫々室外側端部において内向き突出する突出端部に係嵌する係嵌用溝部を設け、しかして面格子周枠の上下及び左右側枠の係嵌用溝部をサッシ窓枠の上下横枠及び左右縦枠の夫々室外側端部の内向き突出部に係嵌することによって面格子周枠をサッシ窓枠に取り付け、前記コーナーのスリットにはスリット塞ぎ部材を取り付けてなる請求項１に記載の面格子装置。
【請求項３】
前記スリット塞ぎ部材は、合成樹脂によって形成されたもので、前記コーナー部の内隅部に嵌合する内隅嵌合部と、内隅嵌合部と一体を成し、前記コーナー部のスリットに係嵌してコーナー部の外隅部側に突出するスリット係嵌部とからなる請求項１又は２に記載の面格子装置。
【請求項４】
前記各防虫網戸は、上下枠部及び左右枠部からなる周枠部と、周枠部に張り渡されたネットとからなり、周枠部の上下枠部には網戸取付周枠の上下框に係嵌する上部及び下部の上向き及び下向きの係嵌用凹溝が設けられていて、周枠部の左右両枠部の室外面が網戸取付周枠の左右何れかの框の室内側面部と中框の室内側面部と夫々当接し、上下枠部の係嵌用凹溝が網戸取付周枠の上下框に対し検鈍式に係嵌されるようになっている請求項１〜３に記載の面格子装置。
【請求項５】
前記各防虫網戸には周枠部の上枠部に設けられた係嵌用凹溝の両端部に、バネによって溝底部が係嵌用凹溝の溝底部よりも高位置となるように上方へ付勢された防虫網戸固定用の凹溝ブロックが設けられている請求項４に記載の面格子装置。
【請求項６】
前記面格子は、複数のルーバーを横方向に並列して、各ルーバーの両端部を面格子周枠の左右側枠に軸架し、これらルーバーの支軸を連動回転機構によって連動回転可能に連結してなる可動ルーバー面格子からなるもので、何れか一つのルーバーの端部に、当該ルーバーをその支軸を中心に回転させて前記連動回転機構を介して全ルーバーを一斉に開閉回転させる回転操作ハンドルを設けるとともに、このハンドルと面格子周枠の左右何れかの側枠との間に、ルーバーを所要角度位置にロックするルーバーロック機構を介装し、更に当該側枠の室内側面には、ルーバーがロック状態にあることを所定の色で示すロック状態表示部、及びルーバーがロック解除状態にあることを他の色で示すロック解除状態表示部を設けなる請求項１〜５の何れかに記載の面格子装置。
【請求項７】
前記ロック状態表示部の色は赤色であり、ロック解除状態表示部の色は青色又は緑色である請求項６に記載の面格子装置。
【発明の詳細な説明】
【技術分野】
【０００１】
本発明は、２枚の引き違い障子が嵌装されるサッシ窓枠の室外側に取り付けられる面格子装置に関するものである。ここで、面格子とは、ルーバーが固定又は可動式のルーバー面格子の他、桟材を柵状又はクロス状に格子組みした普通の面格子を言うものとする。
【背景技術】
【０００２】
従来の面格子装置、例えば可動ルーバー面格子装置として、例えば下記の特許文献１に記載されたもがある。これは、この可動ルーバー面格子装置は、上下枠及び左右枠からなる周枠内に複数のルーバーを横方向に並列し、各ルーバーの両端部を支軸により周枠の左右枠に軸架し、これらる支軸を連動回転可能に連結してなるもので、取付けにあたって、周枠の左右枠を、窓開口部に固定されたサッシ窓枠の対応する左右縦枠に連結金具によって連結固定するようになっている。サッシ窓枠内には、２枚の引き違い障子が障子用レールを介して嵌装されているとともに、両引き違い障子の室外側に引き違い障子と同じ幅の１枚の防虫網戸を網戸用レールにスライド可能に取り付けられている。
【先行技術文献】
【特許文献】
【０００３】
【特許文献１】特開平１１−３０３５３７号公報
【発明の概要】
【発明が解決しようとする課題】
【０００４】
上記のような面格子装置を２枚の引き違い障子が嵌装されるサッシ窓枠に取り付けた場合、網戸を掃除等のために取り外すには、室内側に取り外すことができないから、面格子装置の周枠を取り外して、室外側へ取り外す必要があるが、面格子周枠の取り外しが非常に面倒で、大変な労作業を強いられることになる。また、網戸は１枚しか取り付けできないことから、網戸を使用した状態で窓を開放する時は、一方の引き違い障子を他方の違い障子と重なる方向に移動させるため、必ずサッシ窓枠の片側しか開放できない。つまり、サッシ窓枠の両側を開放させようにすれば、両引き違い障子を重なった状態でサッシ窓枠の中央側へ寄せればよいが、そうすると網戸のない方の側では防虫ができなくなる。このようにサッシ窓枠の片側しか開放できないため、室内外の空気の流通を有効に行わせることができない、という問題もある。
【０００５】
本発明は、上記の問題点に鑑み、防虫網戸の取り外しが面格子周枠の室内側から容易に行えるとともに、網戸を取り付けたままサッシ窓枠の両側を開放できて室内外の空気の流通を有効に行わせることができる面格子装置を提供することを目的とする。
【課題を解決するための手段】
【０００６】
上記課題を解決するための手段を、後述する実施形態の参照符号を付して説明すると、請求項１に係る発明は、２枚の引き違い障子１７，１７が嵌装されるサッシ窓枠１３の室外側に取り付けられる面格子装置であって、上下側枠２，３及び左右側枠４，４からなる面格子周枠５内の室外側端部に面格子６を設け、面格子周枠５内の室内外方向中間部には上下框７，８と左右框９，９と左右框９，９の中間の中框１０とからなる網戸取付周枠１１を設け、この網戸取付周枠１１と面格子周枠５の室内側端部との間に網戸取付け・取外し用空間部Ｓを形成し、前記網戸取付周枠１１には中框１０を挟んでその両側に夫々防虫網戸１２を上下框７，８に対して検鈍式に室内側に取り外し可能に取り付け、前記面格子周枠５の上下側枠２，３及び左右側枠４，４の夫々室内側端部を、前記サッシ窓枠１３の上下横枠１４，１５及び左右縦枠１６，１６の夫々室外側端部に取り付けるようにしてなることを特徴とする。
【０００７】
請求項２は、請求項１に記載の面格子装置において、前記面格子周枠５の上下及び左右側枠２，３，４，４が互いに直交する夫々のコーナー部にその室内側端から所要長さに亘ってスリット２８を設け、これら上下及び左右側枠２，３，４，４の夫々室内側端部外面には前記サッシ窓枠１３の上下横枠１４，１５及び左右縦枠１６，１６の夫々室外側端部において内向き突出する突出端部に係嵌する係嵌用溝部２０，２３，２６，２６を設け、しかして面格子周枠５の上下及び左右側枠２，３，４，４の係嵌用溝部２０，２３，２６，２６をサッシ窓枠１３の上下横枠１４，１５及び左右縦枠１６，１６の夫々室外側端部の内向き突出部に係嵌することによって面格子周枠５をサッシ窓枠１３に取り付け、前記コーナー部のスリット２８にはスリット塞ぎ部材２９を取り付けてなることを特徴とする。
【０００８】
請求項３は、請求項１又は２に記載の面格子装置において、前記スリット塞ぎ部材２９は、合成樹脂によって形成されたもので、前記コーナー部の内隅部に嵌合する内隅嵌合部２９ａと、内隅嵌合部２９ａと一体を成し、前記コーナー部のスリット２８に係嵌してコーナー部の外隅部側に突出するスリット係嵌部２９ｂとからなることを特徴とする。
【０００９】
請求項４は、請求項１〜３に記載の面格子装置において、前記各防虫網戸１２は、上下枠部３１，３２及び左右枠部３３，３３からなる周枠部３４と、周枠部３４に張り渡されたネット３５とからなり、周枠部３４の上下枠部３１，３２には網戸取付周枠１１の上下框７，８に係嵌する上部及び下部の上向き及び下向きの係嵌用凹溝３６，３７が設けられていて、周枠部３４の左右両枠部３３，３３の室外面が網戸取付周枠１１の左右何れかの框９の室内側面部と中框１０の室内側面部と夫々当接し、上下枠部３１，３２の係嵌用凹溝３６，３７が網戸取付周枠１１の上下框７，８に対し検鈍式に係嵌されるようになっていることを特徴とする。
【００１０】
請求項５は、請求項４に記載の面格子装置において、前記各防虫網戸１２には周枠部３４の上枠部３１に設けられた係嵌用凹溝３６の両端部に、バネ３９によって溝底部４０ａが係嵌用凹溝３６の溝底部３６ａよりも高位置となるように上方へ付勢された防虫網戸固定用の凹溝ブロック４０が設けられていることを特徴とする。
【００１１】
請求項６は、請求項１〜５の何れかに記載の面格子装置において、前記面格子６は、複数のルーバー４４を横方向に並列して、各ルーバールーバー４４の両端部を面格子周枠５の左右側枠４，４に軸架し、これらルーバー４４の支軸４５を連動回転機構４６によって連動回転可能に連結してなる可動ルーバー面格子からなるもので、何れか一つのルーバー４４の端部に、当該ルーバー４４をその支軸４５を中心に回転させて前記連動回転機構４６を介して全ルーバー４４を一斉に開閉回転させる回転操作ハンドル４７を設けるとともに、このハンドル４７と面格子周枠５の左右何れかの側枠４との間に、ルーバー４４を所要角度位置にロックするルーバーロック機構４８を介装し、更に当該側枠４の室内側面には、ルーバー４４がロック状態にあることを所定の色で示すロック状態表示部６３、及びルーバー４４がロック解除状態にあることを他の色で示すロック解除状態表示部６４を設けなることを特徴とする。
【００１２】
請求項７は、請求項６に記載の面格子装置において、前記ロック状態表示部６３の色は赤色であり、ロック解除状態表示部６４の色は青色又は緑色であることを特徴とする。
【発明の効果】
【００１３】
上記解決手段による発明の効果を、後述する実施形態の参照符号を付して説明すると、請求項１に係る発明の面格子装置によれば、面格子周枠５内の室外側端部に面格子６を設け、面格子周枠５内の室内外方向中間部に上下框７，８と左右框９，９と左右框９，９の中間の中框１０とからなる網戸取付周枠１１を設け、この網戸取付周枠１１と面格子周枠５の室内側端部との間に網戸取付け・取外し用空間部Ｓを形成し、網戸取付周枠１１には中框１０を挟んでその両側に夫々防虫網戸１２を上下框７，８に対して検鈍式に室内側に取り外し可能に取り付け、面格子周枠５の上下側枠２，３及び左右側枠４，４の夫々室内側端部を、サッシ窓枠１３の上下横枠１４，１５及び左右縦枠１６，１６の夫々室外側端部に取り付けるようにしたから、図４及び図５を参照すれば分かるように、防虫網戸１２を掃除等のために取り外す時には、網戸１２を網戸取付周枠１１の上下框７，８に対して検鈍式に簡単に取り外し、網戸取付け・取外し用空間部Ｓからサッシ窓枠１３を通して建物の室内側へ容易に持ち込むことができる。
【００１４】
また、２枚の防虫網戸１２，１２を取り付けたままでも、サッシ窓枠１３の２枚の引き違い障子１７，１７を室内側方向に重合する状態で左右縦枠１６，１６の中央部側へ寄せれば、サッシ窓枠１３内の左右両側を開放できるから、室内外の空気の流通を有効に行わせることができる
【００１５】
請求項２に係る発明によれば、面格子周枠５を形成する上下左右側枠２，３，４，４が互いに直交する夫々のコーナー部にスリット２８を設けたことにより、上下左右各側枠２，３，４，４の室内側端部の係嵌用溝部２０，２３，２６，２６が、互いに他の係嵌用溝部と分離独立することになって、サッシ窓枠１３の上下左右枠１４，１５，１６，１６の対応する室外側端部１４ａ，１５ａ，１６ａ，１６ａに対し夫々的確に係嵌させることができて、面格子周枠５をサッシ窓枠１３に迅速容易に取り付けることができる。またこの場合、面格子周枠５側の係嵌用溝部２０，２３，２６，２６がサッシ窓枠１３側の対応端部１４ａ，１５ａ，１６ａ，１６ａに対して多少位置ずれしていても、面格子周枠５の上下左右側枠２，３，４，４の室内端部側を弾性変形させることによって適宜に係嵌させることができる。また、前記コーナー部のスリット２８にスリット塞ぎ部材２９を取り付けることにより、室外からの虫等の侵入を防止することができる。
【００１６】
請求項３に係る発明によれば、スリット塞ぎ部材２９は、前記コーナー部の内隅部に嵌合する内隅嵌合部２９ａと、内隅嵌合部２９ａと一体を成し、コーナー部のスリット２８に係嵌してコーナー部の外隅部側に突出するスリット係嵌部２９ｂとからなるものを、合成樹脂で一体形成すれば、安価に製作できるとともに、取付けあたっては、スリット係嵌部２９ｂをスリット２８に差し込めむだけでよいから取付けも容易となる。
【００１７】
請求項４に係る発明によれば、防虫網戸１２は、周枠部３４とこれに張り渡されたネット３５とからなるもので、周枠部３４の上下枠部３１，３２には網戸取付周枠１１の上下框７，８に係嵌する上部及び下部の上向き及び下向きの係嵌用凹溝３６，３７が設けられていて、周枠部３４の左右両枠部３３，３３の室外面が網戸取付周枠１１の左右何れかの框９の室内側面部と中框１０の室内側面部と夫々当接し、上下枠部３１，３２の係嵌用凹溝３６，３７が網戸取付周枠１１の上下框７，８に対し検鈍式に係嵌されるようになっているから、網戸取付周枠１１に対する防虫網戸１２の取付けを、隙間無く適切にして容易に行うことができる。
【００１８】
請求項５に係る発明によれば、防虫網戸１２には周枠部３４の上枠部３１に設けられた係嵌用凹溝３６の両端部に、バネ３９によって溝底部４０ａが係嵌用凹溝３６の溝底部３６ａよりも高位置となるように上方へ付勢された防虫網戸固定用の凹溝ブロック４０を設けているから、防虫網戸１２を網戸取付周枠１１の上框７及び下框８に対し検鈍式に取り付ける時に、作業者が周枠部３４の上枠部３１の両端側にある凹溝ブロック４０，４０をコイルバネ３９の付勢力に抗して手で押し下げるようにすれば、網戸１２を取り付けた後は、凹溝ブロック４０がコイルバネ３９により押し上げられて、この凹溝ブロック４０の溝底部４０ａが網戸取付周枠１１の上框７下端面に押し付けられるから、網戸１２を、網戸取付周枠１１に対しガタつくことがないように固定することができる。
【００１９】
請求項６に係る発明によれば、面格子６が、複数のルーバー４４を横方向に並列して、各ルーバールーバー４４の両端部を面格子周枠５の左右側枠４，４に軸架し、これらルーバー４４の支軸４５を連動回転機構４６によって連動回転可能に連結してなる可動ルーバー面格子からなるもので、何れか一つのルーバー４４の端部に、当該ルーバー４４をその支軸４５を中心に回転させて前記連動回転機構４６を介して全ルーバー４４を一斉に開閉回転させる回転操作ハンドル４７を設けるとともに、このハンドル４７と面格子周枠５の左右何れかの側枠４との間に、ルーバー４４を所要角度位置にロックするルーバーロック機構４８を介装したから、ハンドル４７の回転操作によってルーバー４４の開閉回転角度を簡単容易に調整できるとともに、その調整した回転角度位置にルーバー４４を簡単に固定することができる。そして、側枠４の室内側面には、ルーバー４４がロック状態にあることを所定の色で示すロック状態表示部６３、及びルーバー４４がロック解除状態にあることを他の色で示すロック解除状態表示部６４を設けているから、いま、ルーバー４４がロック状態であるか、ロック解除状態であるかを表示部６３，６４の色によって容易に確認することができ、従って可動ルーバー面格子の閉め忘れを防止でき、防犯上有効である。
【００２０】
請求項７に係る発明によれば、ロック状態表示部６２の赤色は、一般に交通信号の停止信号の赤を想定し易く、またロック解除状態表示部６３の青色又は緑色は、同じく交通信号の停止信号の青又は緑を想定し易いから、ロック状態表示部６２及びロック解除状態表示部６３を一層有効に使用できる。
【図面の簡単な説明】
【００２１】
【図１】(a) は本発明の面格子装置を室外側から見た正面図、(b) は同面格子装置を室内側から見た正面図である。
【図２】面格子を省略した状態で面格子周枠を室内側から見た正面図である。
【図３】同じく面格子を省略した状態で、面格子周枠に防虫網戸を取り付けた状態を室内側から見た正面図である。
【図４】面格子装置をサッシ窓枠に取り付けた状態の拡大縦断側面図である。
【図５】同面格子装置をサッシ窓枠に取り付けた状態の拡大横断平面図である。
【図６】(a) は面格子周枠のコーナー部のスリットにスリット塞ぎ部材を取り付けようとしている状態を示す斜視図、(b) はスリットにスリット塞ぎ部材を取り付けた状態を示す斜視図、(c) はスリットにスリット塞ぎ部材を取り付けた状態の断面図である。
【図７】防虫網戸に設けられた防虫網戸固定用の凹溝ブロックを示すもので、(a) は凹溝ブロックがバネによって常に上方へ付勢されている状態を示す斜視図、(b) は凹溝ブロックがバネに抗して下方へ押し下げられた状態を示す斜視図である。
【図８】防虫網戸固定用の凹溝ブロックによって防虫網戸が網戸取付周枠に固定される状態を示す説明図である。
【図９】ルーバーの連動回転機構を示す側面図である。
【図１０】(a) ，(b) は全ルーバーを一斉に開閉回転させる回転操作ハンドルならびにロック状態表示部及びロック解除状態表示部を示す図面である。
【図１１】(a) は回転操作ハンドルがロックされている状態の断面図、(b) は回転操作ハンドルがロック解除されている状態の断面図である。
【発明を実施するための形態】
【００２２】
以下に本発明の好適な一実施形態を図面に基づいて説明すると、図１の(a) は本発明の面格子装置１を室外側から見た正面図、(b) は面格子装置１を室内側から見た正面図であり、図２は面格子周枠を室内側から見た正面図であり、図３は同面格子周枠に防虫網戸を取り付けた状態を室内側から見た正面図、図４は同面格子装置をサッシ窓枠に取り付けた状態の拡大縦断側面図であり、図５は同面格子装置をサッシ窓枠に取り付けた状態の拡大横断平面図である。
【００２３】
面格子装置１は、上下側枠２，３及び左右側枠４，４からなる面格子周枠５内の室外側端部に面格子６を設け、面格子周枠５内の室内外方向中間部には上下框７，８と左右框９，９と左右框９，９の中間の中框１０とからなる網戸取付周枠１１を設け、この網戸取付周枠１１と面格子周枠５の室内側端部との間に網戸取付け・取外し用空間部Ｓを形成し、網戸取付周枠１１には中框１０を挟んでその両側に夫々防虫網戸１２を上下框７，８に対して検鈍式に室内側に取り外し可能に取り付け、しかして面格子周枠５の上下側枠２，３及び左右側枠４，４の夫々室内側端部及びを、サッシ窓枠１３の上下横枠１４，１５及び左右縦枠１６，１６の夫々室外側端部に取り付けるようにしたものである。サッシ窓枠１３には２枚の引き違い障子１７，１７が嵌装される。
【００２４】
図４に示すように、面格子周枠５の上側枠２は、中空角筒状の主体部１８と、この主体部１８の上面と面一状を成して室内側へ水平に一体に延びる平板部１９とからなるもので、この上側枠２の室内側端部である平板部１９の室内側端部には、サッシ窓枠１３の上横枠１４の室外側端部において内向き突出する突出端部１４ａに係嵌する係嵌用溝部２０が設けられ、また下側枠３も、同様に、中空角筒状の主体部２１と、この主体部２１から室内側へ一体に延びる平板部２２とからなるもので、この下側枠３の室内側端部である平板部２２の室内側端部には、サッシ窓枠１３の下横枠１５の室外側端部において内向き突出する突出端部１５ａに係嵌する係嵌用溝部２３が設けられている。尚、中空角筒状主体部１８の内側壁部１８ａが前記網戸取付周枠１１の上框７（図３参照）を形成し、中空角筒状主体部２１の内側壁部２１ａが網戸取付周枠１１の下框８（図３参照）を形成する。
【００２５】
図５に示すように、面格子周枠５の左右各側枠４は、中空角筒状の主体部２４と、この主体部２４に取り付けられた断面Ｌ字状の側板２５とからなり、この下側枠４の室内側端部である側板２５の室内側端部には、サッシ窓枠１３の縦枠１５の室外側端部において内向き突出する突出端部１６ａに係嵌する係嵌用溝部２６が設けられている。断面Ｌ字状の側板２５は、内向きに折曲された板部２５ａが中空角筒状の主体部２４にビス２７止めされており、そしてこの内向き折曲板部２５ａが、前記網戸取付周枠１１の左右框９（図３参照）を形成する。
【００２６】
上記のように、面格子周枠５は、上下左右の側枠２，３，４，４の室内側端部に設けた係嵌用溝部２０，２３，２６，２６を、サッシ窓枠１３の上下横枠１４，１５及び左右縦枠１６，１６の夫々室外側端部１４ａ，１５ａ，１６ａ，１６ａに係嵌させることによって、サッシ窓枠１３に取り付けるようにしているが、この場合、面格子周枠５を形成する上下左右側枠２，３，４，４どうしが完全に箱状につながっていると、係嵌用溝部２０，２３，２６，２６がサッシ窓枠１３の上下左右枠１４，１５，１６，１６の室外側端部１４ａ，１５ａ，１６ａ，１６ａに対し夫々係嵌させることが非常に困難となることから、この面格子周枠５の上下左右側枠２，３，４，４が互いに直交する夫々のコーナー部には、図４，図５及び図６の(a) に示すように、そのコーナー部の室内側端から所要長さに亘ってスリット２８を設けている。
【００２７】
このように面格子周枠５を形成する上下左右側枠２，３，４，４が互いに直交する夫々のコーナー部にスリット２８を設けたことにより、上下左右各側枠２，３，４，４の室内側端部の係嵌用溝部２０，２３，２６，２６が、図６の(a) から分かるように互いに他の係嵌用溝部と分離独立することになって、サッシ窓枠１３の上下左右枠１４，１５，１６，１６の対応する室外側端部１４ａ，１５ａ，１６ａ，１６ａに対し夫々夫々的確に係嵌させることができて、面格子周枠５をサッシ窓枠１３に迅速容易に取り付けることができる。またこの場合、面格子周枠５側の係嵌用溝部２０，２３，２６，２６がサッシ窓枠１３側の対応端部１４ａ，１５ａ，１６ａ，１６ａに対して多少位置ずれしていても、面格子周枠５の上下左右側枠２，３，４，４の室内端部側を弾性変形させることによって適宜に係嵌させることができる。
【００２８】
また、面格子周枠５を形成する上下左右側枠２，３，４，４のコーナー部にスリット２８を設けたままの状態にしておくと、そのスリット２８を通じて室外から虫等が侵入することになるため、各コーナー部のスリット２８には、スリット塞ぎ部材２９を取り付けるようにしている。このスリット塞ぎ部材２９は、合成樹脂材によって形成されたもので、図６の(a) 〜(c) に示すように、前記コーナー部の内隅部に嵌合するアングル状の内隅嵌合部２９ａと、このアングル状内隅嵌合部２９ａと一体を成し、前記コーナー部のスリット２８に係嵌してコーナー部の外隅部側に突出する角柱状のスリット係嵌部２９ｂと、内隅嵌合部２９ａとスリット係嵌部２９ｂの一端部に突設された角板状の把手２９ｃとからなり、角柱状スリット係嵌部２９ｂには凹溝部２９ｄが設けてあって、この凹溝部２９ｄをその幅方向両側から押さえ付けることにより、角柱状スリット係嵌部２９ｂを縮径させることができ、それによってスリット２８への係嵌を容易に行うことができる。
【００２９】
上記のように、スリット塞ぎ部材２９は、内隅嵌合部２９ａと、これと一体を成し、前記スリット２８に係嵌してコーナー部の外隅部側に突出するスリット係嵌部２９ｂとからなるもので、合成樹脂により一体形成されたものであるから、安価に製作できると共に、取付けあたっては、スリット係嵌部２９ｂをスリット２８に差し込めむだけでよいから取付けも容易となる。
【００３０】
各防虫網戸１２は、図３〜図５に示すように、上下枠部３１，３２及び左右枠部３３，３３からなる周枠部３４と、この周枠部３４に張り渡されたネット３５とからなり、周枠部３４の上枠部３１には、網戸取付周枠１１の上框７に係嵌する上向きの係嵌用凹溝３６が設けられ、周枠部３４の下枠部３２には、網戸取付周枠１１の下框８に係嵌する上向きの係嵌用凹溝３７が設けられていて、網戸取付周枠１１への取付けにあたり、周枠部３４の左右両枠部３３，３３の室外面が網戸取付周枠１１の左右何れかの框９の室内側面部と中框１０の室内側面部と夫々当接し、上下枠部３１，３２の係嵌用凹溝３６，３７が網戸取付周枠１１の上下框７，８に対し検鈍式に室内側に取り外し可能に係嵌されるようになっている。
【００３１】
即ち、防虫網戸１２の取付けにあたっては、網戸１２を、図４に仮想線で示すように、網戸取付周枠１１と面格子周枠５の室内側端部との間の網戸取付け・取外し用空間部Ｓにおいて、室外側に向かって前傾姿勢の状態で持ち上げながら、周枠部３４の上枠部３１にある係嵌用凹溝３６を網戸取付周枠１１の上框７下端部に係嵌して、一旦持ち上げた後、下枠部３２にある係嵌用凹溝３７を網戸取付周枠１１の下框８上端部に係嵌して、そのまま網戸１２を下ろせばよい。この時、周枠部３４の左右枠部３３，３３は、図５に示すように、その室外面を網戸取付周枠１１の左右框９，９に当接させる。また、防虫網戸１２を掃除等のために取り外す時には、網戸１２を網戸取付周枠１１の上下框７，８に対して取付時と同様な検鈍式に簡単に取り外し、網戸取付け・取外し用空間部Ｓからサッシ窓枠１３を通して建物の室内側へ容易に持ち込むことができる。
【００３２】
上記のように防虫網戸１２を網戸取付周枠１１の上框７及び下框８に対し検鈍式に取り付ける場合は、周枠部３４の上枠部３１にある係嵌用凹溝３６を網戸取付周枠１１の上框７に係嵌して、一旦持ち上げた後、下枠部３２の係嵌用凹溝３７を網戸取付周枠１１の下框８に係嵌して、そのまま網戸１２を下ろすから、網戸１２は、網戸取付周枠１１に取り付けられた状態でも上下方向に若干ガタつきを生じることになる。このような網戸１２の上下方向のガタつきを無くすために、この網戸１２には、図７に示すように、周枠部３４の上枠部３１に設けてある係嵌用凹溝３６の両端部に、コイルバネ３９によって溝底部４０ａが係嵌用凹溝３６の溝底部３６ａよりも高位置となるように上方へ付勢された防虫網戸固定用の可動凹溝ブロック４０を備えたコーナーピース４１が取り付けられている。
【００３３】
コーナーピース４１は、図７の(a) ，(b) に示すように、周枠部３４の上枠部３１の両端部で左右枠部３３，３３との交差部に取り付けられたもので、このコーナーピース４１には、ガイド部材４２を上下スライド自在に内装保持し、このガイド部材４２と一体に上下動する防虫網戸固定用の可動凹溝ブロック４０を、上枠部３１の係嵌用凹溝３６と同列状に配置するとともに、常時は可動凹溝ブロック４０の溝底部４０ａが係嵌用凹溝３６の溝底部３６ａよりも十分高位置となるようにガイド部材４２を上方へ付勢するコイルバネ３９を設けてなるものである。図７の(a) は、可動凹溝ブロック４０の溝底部４０ａが係嵌用凹溝３６の溝底部３６ａよりも十分高位置に保持された状態を示し、同図の(b) は、可動凹溝ブロック４０をコイルバネ３９の付勢力に抗して押し下げた状態を示す。
【００３４】
図８は上記した防虫網戸固定用可動凹溝ブロック４０の作用を説明する説明図である。即ち、防虫網戸１２を網戸取付周枠１１の上框７及び下框８に対し検鈍式に取り付ける時に、作業者が周枠部３４の上枠部３１の両端側にある可動凹溝ブロック４０，４０をコイルバネ３９の付勢力に抗して手で押し下げるようにすれば、網戸１２を取り付けた後は、可動凹溝ブロック４０がコイルバネ３９により押し上げられて、この凹溝ブロック４０の溝底部４０ａが網戸取付周枠１１の上框７下端面に押し付けられるから、網戸１２は網戸取付周枠１１に対し固定されることになる。
【００３５】
図８において、４３は、周枠３４の下枠部３２にある係嵌用凹溝３７の両端部に、この係嵌用凹溝３７の溝底部３７ａ（図４参照）と同一レベルに溝底部４３ａを有するように固定的に取り付けられた固定凹溝ブロックである。防虫網戸１２を取り外す時には、可動凹溝ブロック４０を図８の仮想線で示すように押し下げた状態で、網戸１２を、取付時とは逆の後斜姿勢としながら引き上げるようにすればよい。
【００３６】
この実施形態の面格子装置１において、上下側枠２，３及び左右側枠４，４からなる面格子周枠５内の室外側端部に設けられる面格子６は、図１，図４及び図５に示すように、複数のルーバー４４を横方向に並列して、各ルーバー４４の両端部を支軸４５により面格子周枠５の左右側枠４，４の角筒状主体部２４，２４に軸架し、これらルーバー４４の支軸４５を連動回転機構４６によって連動回転可能に連結してなる可動ルーバー面格子からなるもので、この可動ルーバー面格子６には、図５に示すように、何れか一つのルーバー４４の端部に、当該ルーバー４４をその支軸４５を中心に回転させることにより前記連動回転機構４６を介して全ルーバー４４を一斉に開閉回転させる回転操作ハンドル４７が設けられるとともに、このハンドル４７と面格子周枠５の左右何れかの側枠４の角筒状主体部２４との間に、各ルーバー４４を所要角度位置にロックするルーバーロック機構４８が介装されている。
【００３７】
上記連動回転機構４６は、図５及び図９に示すように、各ルーバー４４の片方の支軸４５に一体的に連結されたクランクアーム４９と、各クランクアーム４９の先端部に枢着された連動杆５０とからなるもので、一つのルーバー４４の支軸４５を回転させることにより、連動杆５０を介して全てのルーバー４４を連動回転させるようになっている。
【００３８】
図１１は全ルーバー４４を一斉に開閉回転させる回転操作ハンドル４７及び各ルーバー４４を所要開放角度位置にロックするルーバーロック機構４８を示すもので、図５も参照して分かるように、所定の一つのルーバー４４の支軸４５に歯車５１を同軸一体に設け、この歯車５１に噛合するハンドル取付用歯車５２を、網戸取付周枠１１の框９（図５に関し右側の框９）の室内側に取り付けたブラケット５３に軸支し、ハンドル取付用歯車５２に回転操作ハンドル４７を一体に取り付け、そしてブラケット５３内には、歯車５２を挟んでその上下両側に位置する上部スライド片５４と下部スライド片５５とを一体に備えたスライダー５６を上下スライド可能に設け、上下スライド片５４，５５には夫々操作ツマミ５７，５８を一体に取り付けてブラケット５３の上部窓５９と下部窓６０から夫々突出させるようにするとともに、下部スライド片５５の上端部には、スライダー５６を上方へスライドさせた時に歯車５２に係止してこの歯車５２の回転を阻止するロック用の係止歯６１を形成している。また、歯車５２に取り付けられた回転操作ハンドル４７は、ブラケット５３の中央窓６２から突出させている。
【００３９】
上記スライダー５６は、図１１の(a) に示すように、上部スライド片５４の操作ツマミ５７が上部窓５９の上端に当接し且つ下部スライド片５５の操作ツマミ５８が下部窓６０の下部窓６０の上端に当接して下部スライド片５５の係止歯６１が歯車５２に係止したロック位置で軽く固定されるようになっており、また同図の(b) に示すように、上部スライド片５４操作ツマミ５７が上部窓５９の下端に当接し且つ下部スライド片５５操作ツマミ５８が下部窓６０の下部窓６０の下端に当接して、下部スライド片５５のロック用係止歯６１が歯車５２から離脱したロック解除位置で軽く固定されるようになっている。
【００４０】
図１１の(a) は、スライダー５６が上方へスライドして下部スライド片５５の係止歯６１が歯車５２に係止したロック位置に保持された状態を示したもので、このロック位置では、回転操作ハンドル４７がロックされているから、全ルーバー４４は所要角度位置にロックされた状態となる。この図１１の(a) に示すロック状態では、ルーバー４４が仮想線図示のように閉じた状態にロックされる。そして、図１１の(a) に示すロック状態から、例えば上部スライド片５４を把持してスライダー５６を引き下げ、図１１の(b) に示すロック解除状態にすると、回転操作ハンドル４７がロック解除されるから、このハンドル４７を適宜回転操作することにより、ルーバー４４を所要角度に開放回転させることができ、所要角度に回転した後は、スライダー５６を引き上げて、図１１の(a) の状態にすることにより、ルーバー４４をその開放回転角度位置に固定できる。
【００４１】
また、上記ブラケット５３の表側には、ルーバー４４がロック状態にあることを所定の色で示すロック状態表示部６２、及びルーバー４４がロック解除状態にあることを他の色で示すロック解除状態表示部６３が設けられている。図１０の(a) 及び(b) は、図１１の(a) 及び(b) を夫々室内側（表側）から見た正面図で、ロック状態表示部６２及びロック解除状態表示部６３を示している。即ち、図１０の(a) ，(b) と図１１の(a) ，(b) とを対比すれば分かるように、スライダー５６の上部スライド片５４の表面には操作ツマミ５７の上部側にロック解除状態表示部６３が設けられ、その下部側にロック状態表示部６２が設けられていて、これらの表示部６２，６３がブラケット５３の上下の窓５９，６０を通して表示されることになる。この実施形態において、ロック状態表示部６２の色は赤色とし、ロック解除状態表示部６３の色は青色又は緑色としている。
【００４２】
従って、図１０の(a) 及び図１１の(a) に示すようにスライダー５６が上方へスライドしたロック状態では、ブラケット５３の上部窓５９及び下部窓６０にロック状態表示部６２が表示されるから、可動ルーバー面格子６のルーバー４４は、ロック状態であることが赤色によって容易に確認でき、また図１０の(b) 及び図１１の(b) に示すようにスライダー５６が下方へスライドしたロック解除状態では、ブラケット５３の上部窓５９及び下部窓６０にロック解除状態表示部６３が表示されるから、ルーバー４４は、ロック解除状態であることが青色又は緑色によって容易に確認できる。また、この場合、ロック状態表示部６２の赤色は、一般に交通信号の停止信号の赤を想定し易く、またロック解除状態表示部６３の青色又は緑色は、同じく交通信号の停止信号の青又は緑を想定し易いから、ロック状態表示部６２及びロック解除状態表示部６３を一層有効に使用できる。
【符号の説明】
【００４３】
１            面格子装置
２            上側枠
３            下側枠
４            左右側枠
５            面格子周枠
６            面格子周枠
７            上框
８            下框
９            左右框
１０          中框
１１          網戸取付周枠
１２          防虫網戸
１３          サッシ窓枠
１４          上横枠
１５          下横枠
１６          左右縦枠
【図１】
2012041731.tif 000003
【図２】
2012041731.tif 000004
【図３】
2012041731.tif 000005
【図４】
2012041731.tif 000006
【図５】
2012041731.tif 000007
【図６】
2012041731.tif 000008
【図７】
2012041731.tif 000009
【図８】
2012041731.tif 000010
【図９】
2012041731.tif 000011
【図１０】
2012041731.tif 000012
【図１１】
2012041731.tif 000013